(57)【要約】【課題】ホールコンピュータで消失した計数結果を復元可能とするとともに、計数機からホールコンピュータへの計数結果の送信を計数機の保守時においてのみ可能とする。【解決手段】再送制御手段４５のメンテナンスモードスイッチ４５−１１が投入されると、このモード切替部４５−１から再送手段４４へ「０」を示す切換信号が送られる。この「０」を示す切換信号が受け取られている間、再送手段４４において、外部から再送命令が受け取られると、記憶手段４２から計数結果が取り出され、出力手段４３へ送られて、さらに、ホールコンピュータ２へ送信される。一方、メンテナンスモードスイッチ４５−１１が開放されると、「１」を示す切換信号が再送手段４４へ送られる。この間、再送手段４４から出力手段４３への計数結果の送出は行われない。【選択図】　　　図３
2004073461.tif 000002
【特許請求の範囲】
【請求項１】
計数センサ手段からの検出信号にもとづいて、遊技媒体の数量を計数する計数手段と、
この計数手段からの計数結果を外部出力する出力手段とを有した遊技媒体計数機であって、
前記計数手段からの前記計数結果を所定期間分及び／又は所定回数分記憶する記憶手段と、
この記憶手段から前記計数結果を取り出して前記出力手段へ送る再送手段と、この再送手段及び／又は前記出力手段における再送動作を実行又は停止させる再送制御手段とを有した
ことを特徴とする遊技媒体計数機。
【請求項２】
前記再送制御手段が、保守モードの設定及び／又は解除を行うモード切換部を有し、
前記再送手段が、前記モード切換部からの切換信号にもとづいて、前記計数結果の前記出力手段への送出を実行又は停止する
ことを特徴とする請求項１記載の遊技媒体計数機。
【請求項３】
前記出力手段が、前記モード切換部からの切換信号にもとづいて、前記計数結果の外部出力を実行又は停止する
ことを特徴とする請求項１又は２記載の遊技媒体計数機。
【請求項４】
前記再送制御手段が、前記計数センサ手段の動作及び／又は前記計数手段の計数動作を検知する動作検知部を有し、
前記再送手段が、前記動作検知部からの動作検知信号にもとづいて、前記計数結果の前記出力手段への送出を実行・停止する
ことを特徴とする請求項１，２又は３記載の遊技媒体計数機。
【請求項５】
前記出力手段が、前記動作検知部からの動作検知信号にもとづいて、前記計数結果の外部出力を実行・停止する
ことを特徴とする請求項１，２，３又は４記載の遊技媒体計数機。
【請求項６】
前記再送手段が、前記計数結果の再送時刻を前記記憶手段へ送り記憶させる
ことを特徴とする請求項１〜５のいずれかに記載の遊技媒体計数機。
【発明の詳細な説明】
【０００１】
【発明の属する技術分野】
本発明は、遊技媒体計数機に関し、特に、計数結果を記憶する記憶手段を有した遊技媒体計数機に関する。
【０００２】
【従来の技術】
パチンコ台やスロットマシン等に代表される遊技機が設置された遊技ホールにおいては、パチンコ玉あるいは遊技メダル（以下、総称して「遊技媒体」という）の数量をカウントする遊技媒体計数機（以下、略して「計数機」という）が設けられている。
この計数機は、ホッパに投入された遊技媒体を、計数センサ手段を用いて検出し、この検出信号にもとづいて遊技媒体の数量をカウント（計数）し、計数済みの遊技媒体を外部へ排出するとともに、計数結果（遊技媒体の総数量）を発券機へ送る。発券機は、その計数結果を景品交換用チケットに印字して外部へ送り出す。
【０００３】
また、計数機は、その計数結果を、発行機からの発行番号等とともにホールコンピュータへ送信する。
ホールコンピュータは、発行番号等をキーとして計数結果を記憶・管理する。これにより、ホールコンピュータは、その計数機からのデータと景品管理ＰＯＳからのデータとを照合するなどして、計数データの管理や、会員取引における不正行為の監視などを行うことができる。
【０００４】
【発明が解決しようとする課題】
しかしながら、ホールコンピュータや周辺システムにおいて故障やトラブル等が発生すると、そのホールコンピュータに記憶されていたデータが消失してしまうことがあった。
このとき、ホールコンピュータにおいては、過去に計数機から受信して保存しておいた遊技媒体の計数結果や、売上等に関係するデータなども同様に消失していた。
【０００５】
また、従来の計数機においては、記憶手段に保存された計数結果が、当日の営業時間終了後には消去され、翌日に持ち越されることがなかった。
このため、ホールコンピュータ等における故障やトラブルなどが改善された後に、消失した過去の計数結果を復元しようとしても、そのホールコンピュータだけでなく計数機においてもその計数結果が残っていないことから、復元することができなかった。
この場合、メンテナンスを担当する従業員は、消失したデータを改めて手入力するしかなかった。
【０００６】
そこで、消失した過去の計数結果を復元するために、計数結果を一定期間分保存可能な記憶手段を計数機に設けることが考えられる。これにより、ホールコンピュータで消失した過去の計数結果を、計数機から再度送信することで、復元可能となる。
ところが、計数機に計数結果の再送機能をもたせると、第三者がその機能を用いてホールコンピュータへ計数結果を再送し悪用することも考えられた。
【０００７】
本発明は、上記の事情にかんがみなされたものであり、故障等によりホールコンピュータで一度消失した計数結果等を復元可能とするとともに、計数機からホールコンピュータへの計数結果の再送をホール従業員等特定の者のみ操作可能とする遊技媒体計数機の提供を目的とする。
【０００８】
【課題を解決するための手段】
この目的を達成するため、本発明の請求項１記載の遊技媒体計数機は、計数センサ手段からの検出信号にもとづいて、遊技媒体の数量を計数する計数手段と、この計数手段からの計数結果を外部出力する出力手段とを有した遊技媒体計数機であって、計数手段からの計数結果を所定期間分及び／又は所定回数分記憶する記憶手段と、この記憶手段から計数結果を取り出して出力手段へ送る再送手段と、この再送手段及び／又は出力手段における再送動作を実行又は停止させる再送制御手段とを有した構成としてある。
【０００９】
遊技媒体計数機をこのような構成とすると、記憶手段が、計数結果を所定期間分あるいは所定回数分記憶できるため、故障等によりホールコンピュータ等で消失した過去の計数結果を、その復旧後に、計数機からホールコンピュータへ再送して復元させることができる。
【００１０】
さらに、再送手段あるいは出力手段における再送動作を制御する再送制御手段を設けることにより、その再送動作を、所定の場合に特定の者のみ操作可能とすることができる。
これにより、第三者が計数機からホールコンピュータへ計数結果を再送して悪用することを防止できる。
【００１１】
また、請求項２記載の遊技媒体計数機は、再送制御手段が、保守モードの設定及び／又は解除を行うモード切換部を有し、再送手段が、モード切換部からの切換信号にもとづいて、計数結果の出力手段への送出を実行又は停止する構成としてある。
遊技媒体計数機をこのような構成とすれば、保守モードが設定された場合においてのみ、計数結果をホールコンピュータへ再送することができる。
【００１２】
このため、ホール従業員など特定の者のみが保守モードを設定・解除可能としておけば、ホール従業員以外の者が、計数結果を再送することができなくなる。したがって、そのホール従業員以外の者により、計数結果が再送され悪用されることを防止できる。
【００１３】
また、請求項３記載の遊技媒体計数機は、出力手段が、モード切換部からの切換信号にもとづいて、計数結果の外部出力を実行又は停止する構成としてある。遊技媒体計数機をこのような構成とすると、保守モード以外のモード状態において、計数結果がホールコンピュータへ再送されることを防止できる。したがって、保守モードの設定・解除が認められていない者による計数結果の再送を阻止してその悪用を防止できる。
【００１４】
また、請求項４記載の遊技媒体計数機は、再送制御手段が、計数センサ手段の動作及び／又は計数手段の計数動作を検知する動作検知部を有し、再送手段が、動作検知部からの動作検知信号にもとづいて、計数結果の出力手段への送出を実行・停止する構成としてある。
【００１５】
遊技媒体計数機をこのような構成とすれば、計数機に投入された遊技媒体が計数センサ手段で検出されている間、又は遊技媒体のカウントが計数手段で実行されている間（すなわち、計数機で計数が行われている間）は、計数結果の再送を停止させることができる。
ここで、遊技媒体計数機が動作検知部を有していないとすると、その遊技媒体計数機は、計数直後の計数結果を送信する時期と同時期に、過去に記憶した計数結果をホールコンピュータへ再送することもできるようになる。
【００１６】
そうすると、ホールコンピュータにおいては、計数直後の計数結果と同時期に送信されてきた過去の計数結果が、計数直後の計数結果であると誤認識されて、集計処理や照合処理等を実行されてしまうということも考えられる。さらに、遊技媒体計数機等においては、その過去の計数結果がホールコンピュータへ再送されて悪用されるといった行為が発生する可能性もある。
そこで、遊技媒体計数機に動作検知部を設けることにより、ホールコンピュータにおける計数結果の誤認識や誤処理を防止し、かつ、遊技媒体計数機等における計数結果の再送・悪用行為を阻止することができる。
【００１７】
また、請求項５記載の遊技媒体計数機は、出力手段が、動作検知部からの動作検知信号にもとづいて、計数結果の外部出力を実行・停止する構成としてある。遊技媒体計数機をこのような構成とすると、この場合においても、計数機で計数が行われている間は、計数結果の再送を停止させることができる。
これにより、ホールコンピュータにおける計数結果の誤認識・誤処理や、遊技媒体計数機等における計数結果の再送・悪用行為を防止できる。
【００１８】
また、請求項６記載の遊技媒体計数機は、再送手段が、計数結果を再送した時刻を記憶手段へ送り記憶させる構成としてある。
遊技媒体計数機をこのような構成とすれば、再送履歴を事後的に確認できる。したがって、計数結果が、ホール従業員以外の者により悪意で再送されたことを発見できる。
【００１９】
【発明の実施の形態】
以下、本発明の実施の形態について、図面を参照して説明する。
まず、本発明の遊技媒体計数機の実施形態について、図１、図２及び図３を参照して説明する。
図１は、本実施形態の遊技媒体計数機の外観構成を示す斜視図であり、図２は、図１の遊技媒体計数機の内部構造を示す断面図であり、図３は、遊技媒体計数機に設けられる計数データ記憶送出装置の構成を示すブロック図である。
【００２０】
図１及び図２に示すように、遊技媒体計数機１（以下、略して「計数機１」という）は、すり鉢形状のホッパ１１と、このホッパ１１の底面部に形成された流入口１２と、この流入口１２から落下した遊技媒体が転動しながら進む遊技媒体流路１３と、この遊技媒体流路１３からの遊技媒体を複数のレーンごとに振り分けて流すレーンユニット１４と、各レーンごとに流れてきた遊技媒体を検出する計数センサ手段１５と、この計数センサ手段１５を通過した遊技媒体を外部へ排出する排出口１６とを有している。
なお、計数センサ手段１５には、光センサ（光学式センサ）や近接センサ（磁界変化検知センサ）などを用いることができる。
【００２１】
また、計数機１は、遊技媒体の計数結果を景品交換用チケットに印字して出力する発券機２０と、会員カードから会員情報を読み取るカードリーダ３０とを有している。
さらに、計数機１は、図３に示すように、計数データ記憶送出装置４０を有している。
【００２２】
計数データ記憶送出装置４０は、遊技媒体の数量をカウントし、このカウントした結果である計数結果をホールコンピュータ２へ送信する装置であって、計数センサ手段１５と、計数手段４１と、記憶手段４２と、出力手段４３と、再送手段４４と、再送制御手段４５とを有している。
【００２３】
ここで、計数手段４１は、計数センサ手段１５からの検出信号にもとづいて、遊技媒体の数量をカウントし、このカウントによる遊技媒体の総数量を計数結果として記憶手段４２へ送り、記憶させる。
さらに、計数手段４１は、その計数結果を出力手段４３へ送る。
【００２４】
記憶手段４２は、計数手段４１からの計数結果を記憶する。この記憶手段４２は、計数結果を所定期間分あるいは所定回数分記憶できるだけの記憶領域（メモリエリア）を有している。
この記憶手段４２が過去の計数結果についても記憶可能とすることで、計数機１は、その過去の計数結果をホールコンピュータへ再送することができる。
【００２５】
出力手段４３は、通信ケーブルと接続されるインタフェースを含んで構成されており、計数手段４１又は再送手段４４からの計数結果を外部出力する。
この出力手段４３は、図４に示すように、ホールコンピュータ２と通信接続されている。
【００２６】
再送手段４４は、外部からの計数結果再送命令にもとづいて、記憶手段４２から計数結果を取り出し、出力手段４３へ送る。
また、再送手段４４は、計数結果を再送した時刻を記憶手段へ送って記憶させる。これにより、ホール従業員は、再送履歴を事後的に確認できる。したがって、計数結果が、ホール従業員以外の者により再送されたことを発見できる。
【００２７】
再送制御手段４５は、再送手段４４や出力手段４３における計数結果の再送動作を制御する。
この計数結果の再送動作の制御には、保守モードに関する制御と、計数時に関する制御とがある。
【００２８】
保守モードに関する制御とは、計数機１の制御系統が保守モード（メンテナンスモード）に設定されているときにのみ、計数結果の再送動作を可能とする制御をいう。
この制御を実行するために、再送制御手段４５は、図５に示すように、モード切替部４５−１として、メンテナンスモードスイッチ４５−１１と、ＮＯＴ回路４５−１２とを有している。
【００２９】
メンテナンスモードスイッチ４５−１１は、通常は、開放（ＯＦＦ）の状態であり、メンテナンスを担当する従業員が、計数機１を保守・点検・修理等する際に投入（ＯＮ）される。
なお、メンテナンスモードスイッチ４５−１１は、他のモード切替装置（保守モードの設定・解除を実行する装置）と連動して投入又は開放の動作を実行することもできる。
【００３０】
また、メンテナンスモードスイッチ４５−１１は、図５等においては、押下型の有接点スイッチで構成されているが、押下型の有接点スイッチに限るものではなく、たとえば、回転式のセレクトスイッチやリレーなどの無接点スイッチなどで構成することができる。
【００３１】
ＮＯＴ回路４５−１２は、メンテナンスモードスイッチ４５−１１の投入又は開放（ＯＮ又はＯＦＦ）に対応した値を示す信号（切換信号）を、再送手段４４へ送る。
このとき、再送手段４４においては、その切換信号にもとづいて、再送動作の禁止状態の解除又は設定が実行される（すなわち、切換信号にもとづいて、再送動作を実行又は停止する）。
【００３２】
なお、モード切替部４５−１は、図６に示すように、出力手段４３に接続することができる。
この場合、モード切替部４５−１は、出力手段４３へ切換信号を送る。出力手段４３は、その切換信号にもとづいて、再送動作を実行又は停止する。
【００３３】
また、計数時に関する制御とは、計数センサ手段１５が遊技媒体を検出している間は、計数結果の再送動作を停止させる制御をいう。
この制御を実行するために、再送制御手段４５は、図５に示すように、動作検知部４５−２として、ＮＡＮＤ回路４５−２１を有している。
【００３４】
ＮＡＮＤ回路４５−２１は、計数センサ手段１５からの検出信号と、再送手段４４からの再送実行信号とをそれぞれ受け取ると、これら検出信号と再送実行信号と組み合わせに応じた値を示す検知信号を出力手段４３へ送る。このとき、出力手段４３は、その検知信号にもとづいて、計数結果のホールコンピュータ２への送信を実行又は停止する。
【００３５】
なお、動作検知部４５−２は、図６に示すように、動作検知回路４５−２２を有することができる。
動作検知回路４５−２２は、計数センサ手段１５から検出信号を受け取ると、再送手段４４へ検知信号を送る。再送手段４４は、その検知信号にもとづいて、計数結果の出力手段４３への送出を実行又は停止する。この動作検知回路４５−２２は、たとえば、一入力一出力のＡＮＤ回路で構成できる。
【００３６】
また、動作検知部４５−２は、図７に示すように、計数センサ手段１５からの検出信号に代えて、計数手段４１からの計数実行信号（計数手段４１で遊技媒体の計数が実行されていることを示す信号）にもとづいて、検知信号を、出力手段４３（動作検知部４５−２が動作検知回路４５−２２で構成されているときは、再送手段４４）へ送ることができる。
これにより、計数機１は、遊技媒体のカウントが計数手段４１で実行されている間は、計数結果の再送を停止することができる。
【００３７】
なお、図１及び図２においては、遊技媒体計数機の一つであるパチンコ玉計数機についての外観構成又は内部構造を示しているが、遊技媒体計数機には、パチンコ玉計数機の他、メダル計数機も含まれる。
このメダル計数機においても、本実施形態の計数データ記憶送出装置４０を設けることができる。
【００３８】
次に、本実施形態の計数機の動作について、図２及び図５を参照して説明する。
この計数機の動作には、遊技媒体の計数処理に関する動作と、計数機の保守モードに関する動作とがある。
これらのうち、遊技媒体の計数処理に関する計数機の動作は、次の手順で実行される。
【００３９】
計数機１のホッパ１１に投入された遊技媒体が、遊技媒体流路１３及びレーンユニット１４を流れて、計数センサ手段１５で検出される。
この遊技媒体の検出にもとづき、計数センサ手段１５から計数手段４１へ検出信号が送られる。
計数手段４１において、その検出信号にもとづき、遊技媒体の数量がカウントされる。そして、カウント終了後、遊技媒体の総数量である計数結果が出力手段４３へ順次送られ、さらに、ホールコンピュータ２へ送信される。
【００４０】
ところで、計数センサ手段１５から出力される検出信号は、再送制御手段４５の動作検知部４５−２（ＮＡＮＤ回路４５−２１）へも送られる。
ＮＡＮＤ回路４５−２１において、検出信号が入力されている間は、このＮＡＮＤ回路４５−２１から出力手段４３へは、「０」を示す検知信号が送られる。この「０」を示す検知信号を受けている間は、出力手段４３は、再送手段４４から計数結果を受け取っても、この計数結果のホールコンピュータ２への送信を実行しない。
【００４１】
計数センサ手段１５で遊技媒体が検出されなくなると、この計数センサ手段１５から計数手段４１への検出信号の送出が行われなくなる。このため、出力手段４３においては、ホールコンピュータ２への計数結果の送信は実行されない。
そして、計数センサ手段１５から動作検知部４５−２（ＮＡＮＤ回路４５−２１）へも検出信号が送出されなくなる。このため、ＮＡＮＤ回路４５−２１から出力手段４３へは、「１」を示す検知信号が送られる。
【００４２】
この「１」を示す検知信号を受けている間は、出力手段４３は、再送手段４４から計数結果を受け取ると、この計数結果のホールコンピュータ２への送信を実行する。
ただし、再送手段４４から出力手段４３への計数結果の送出は、モード切替部４５−１からの切換信号にもとづいて実行又は停止される。
【００４３】
また、上記計数機の動作のうち、計数機の保守モードに関する動作は、次の手順で実行される。
計数センサ手段１５においては、遊技媒体が検出されないため、動作検知部４５−２（ＮＡＮＤ回路４５−２１）への検出信号の送出は行われない。このため、ＮＡＮＤ回路４５−２１から出力手段４３へは、「１」を示す検知信号が送られる。
【００４４】
モード切替部４５−１のメンテナンスモードスイッチ４５−１１が投入（ＯＮ）されることで、保守モードが設定される。
このメンテナンスモードスイッチ４５−１１の投入により、モード切替部４５−１から再送手段４４へ、「０」を示す切換信号が送られる。
【００４５】
再送手段４４において、「０」を示す切換信号が受け取られている間は、外部からの計数結果再送命令にもとづいて、記憶手段４２から計数結果が取り出され、出力手段４３へ送られる。
そして、出力手段４３において、ＮＡＮＤ回路４５−２１からは「１」を示す検知信号が受け取られているため、再送手段４４からの計数結果が、ホールコンピュータ２へ送信される。
【００４６】
その後、保守モードを解除するために、モード切替部４５−１のメンテナンスモードスイッチ４５−１１が開放（ＯＦＦ）される。
このメンテナンスモードスイッチ４５−１１の開放により、モード切替部４５−１から再送手段４４へ、「１」を示す切換信号が送られる。
【００４７】
再送手段４４において、「１」を示す切換信号が受け取られている間は、外部から計数結果再送命令が受け取られても、記憶手段４２からの計数結果の取り出し及び出力手段４３への送出が実行されない。
このため、出力手段４３においても、計数結果の再送が実行されない。
【００４８】
【発明の効果】
以上のように、本発明によれば、記憶手段が、計数結果を所定期間分あるいは所定回数分記憶可能なため、故障等によりホールコンピュータで消失した過去の計数結果を、計数機からホールコンピュータへ再送して復元することができる。そして、再送制御手段を設けることにより、特定の場合においてのみ再送動作を実行させることができる。
【００４９】
また、遊技媒体計数機にモード切換部を設けることにより、保守モードが設定された場合においてのみ、計数結果をホールコンピュータへ再送することができる。
このため、ホール従業員など特定の者のみが保守モードを設定可能としておけば、ホール従業員以外の者が計数結果を再送できなくなる。したがって、そのホール従業員以外の者により、計数結果が再送され悪用されることを防止できる。
【００５０】
さらに、遊技媒体計数機に動作検知部を設けることにより、計数中においては、ホールコンピュータへの計数結果の送信を停止できる。
また、再送履歴を記憶手段に記憶させることで、計数結果が再送されたことを、事後的に確認できる。
【図面の簡単な説明】
【図１】本発明の遊技媒体計数機の外観構成を示す斜視図である。
【図２】本発明の遊技媒体計数機の内部構造を示す断面図である。
【図３】計数データ記憶送出装置の構成を示すブロック図である。
【図４】本発明の遊技媒体計数機とホールコンピュータとの接続構成を示すブロック図である。
【図５】本発明の遊技媒体計数機における再送制御手段の具体的な構成を示すブロック図である。
【図６】本発明の遊技媒体計数機における再送制御手段の他の具体的な構成を示すブロック図である。
【図７】本発明の遊技媒体計数機における再送制御手段のさらに他の具体的な構成を示すブロック図である。
【符号の説明】
１　遊技媒体計数機
１１　ホッパー
１２　流入口
１３　遊技媒体流路
１４　レーンユニット
１５　計数センサ手段
１６　排出口
２０　発券機
３０　カードリーダ
４０　計数データ記憶送出装置
４１　計数手段
４２　記憶手段
４３　出力手段
４４　再送手段
４５　再送制御手段
４５−１　モード切替部
４５−１１　メンテナンスモードスイッチ
４５−１２　ＮＯＴ回路
４５−２　動作検知部
４５−２１　ＮＡＮＤ回路
４５−２２　動作検知回路
２　ホールコンピュータ
【図１】
2004073461.tif 000003
【図２】
2004073461.tif 000004
【図３】
2004073461.tif 000005
【図４】
2004073461.tif 000006
【図５】
2004073461.tif 000007
【図６】
2004073461.tif 000008
【図７】
2004073461.tif 000009